(57)【特許請求の範囲】
【請求項１】
先筒と中継具とを回動可能に連結し、
前記先筒には、棒状化粧材の進退する開口孔を設けるとともに、棒状化粧材を保持する保持部を形成した押棒を摺動可能に内挿し、
前記中継具の内部に設けた仕切部を介してその上部と下部にそれぞれ上部腔部と下部腔部を同軸的に形成し、
上部腔部には前記押棒を収納し、螺旋筒をスプライン係合し、前記螺旋筒に前記押棒の外周のねじ部を螺合して螺合機構を形成し、かつ前記押棒の上部に設けた保持部の一部を前記先筒内周に形成した摺動溝に係合して回転止め機構を構成し、
前記先筒と中継具の回動により押棒を上下させる繰り出し機構を前記螺合機構と前記回転止め機構により構成し、
下部腔部の内周に雌ねじを設けて、化粧料の充填された容器本体の口元雄ねじと脱着可能に螺合することを特徴とする化粧料容器
【請求項２】
前記中継具の仕切部から一体的に棒状中軸を延設し、この先端に設けた塗布具が前記容器本体内に挿入されるようにしたことを特徴とする請求項１記載の化粧料容器。
【請求項３】
前記容器本体は異なった液状や粉状化粧料が充填される複数の容器本体からなり、これら容器本体が選択的に前記中継具に螺合結合させられることを特徴とする請求項１に記載の化粧料容器。
【請求項４】
前記容器本体内に充填される揮発性の高い化粧料は、前記容器本体の口元に設けたパッキンまたは絞りゴムと、前記下部腔部の天面の仕切部による螺合接触圧で封止されることを特徴とする請求項１または３に記載の化粧料容器。
【請求項５】
前記容器本体の口元に螺合可能な仮キャップを備えることを特徴とする請求項４に記載の化粧料容器。
【発明の詳細な説明】
【０００１】
【発明の属する技術分野】
本発明は、棒状化粧材とそれに関連する液状もしくは粉状化粧料を併せ持つ化粧料容器に関する。
【０００２】
【従来の技術】
液状化粧料はマスカラ、マニキュア、リップグロス等に代表されるようにキャップに固着された棒状塗布具に液状化粧料を適量浸し、これをマスカラの場合は睫毛、リップグロスの場合は唇、マニキュアの場合は爪に化粧をすることで、この形態のメイクアップは化粧上必要不可欠なものであり、様々な色彩や内容で広く一般に行き渡っている。
【０００３】
また最近では、カラーパウダーやラメパウダー、グリッターなどを目元、口元のみならず頬や肌の露出した部分などに施すメイクもすっかり定着している。
【０００４】
これらはポイントメイクアップであり、通常目の化粧にはマスカラの他にアイシャドウやアイライナー、アイブロウ等、唇の場合には口紅やリップライナー等その他のベースまたはポイントメイクアップの棒状化粧材を上記の液状や粉状の化粧料と組み合わせて使用するのが常である。
【０００５】
【発明が解決しようとする課題】
通常、これらポイントメイクは単色使用のみならず複数色を一度に使用したり、また流行や洋服などに合わせて様々に使いこなす。
【０００６】
したがって、部分化粧のためだけに何品もの化粧材を用意することになるために、甚だ手間がかかっていた。
【０００７】
さらに外出時などにそれら化粧材を持ち歩く際、バッグの中に収納する小さな化粧ポーチなどの中ではこれらの棒状化粧材や液状化粧料はかさばるのみならず、メイク直し用や予備の色彩のものも含めると何品も持ち歩くことになってしまう。
【０００８】
そのため化粧ポーチに収納しきれなかったり、また必要なときにポーチをかき回して同じような棒状化粧材の中から使用するものを探す手間がかかってしまっていた。
【０００９】
本発明は、上記問題を考慮し、簡便性を計って、使用性の高い棒状化粧材の繰出容器の後部に腔部を設け、これにネジを形成して液状や粉状の化粧料が充填された容器本体のキャップとして使用可能とすることにより、棒状化粧材と液状化粧料、または粉状化粧料とを同時に装着させ、なおかつ部品数を最小とし得る化粧料容器を提供することを目的とする。
【００１０】
【課題を解決するための手段】
第１の発明は先筒と中継具とを回動可能に連結し、前記先筒には、棒状化粧材の進退する開口孔を設けるとともに、棒状化粧材を保持する保持部を形成した押棒を摺動可能に内挿し、前記中継具の内部に設けた仕切部を介してその上部と下部にそれぞれ上部腔部と下部腔部を同軸的に形成し、上部腔部には前記押棒を収納し、螺旋筒をスプライン係合し、前記螺旋筒に前記押棒の外周のねじ部を螺合して螺合機構を形成し、かつ前記押棒の上部に設けた保持部の一部を前記先筒内周に形成した摺動溝に係合して回転止め機構を構成し、前記先筒と中継具の回動により押棒を上下させる繰り出し機構を前記螺合機構と前記回転止め機構により構成し、下部腔部の内周に雌ねじを設けて、化粧料の充填された容器本体の口元雄ねじと脱着可能に螺合することを特徴とする。
【００１１】
第２の発明は、第１の発明において、前記中継具の仕切部から一体的に棒状中軸を延設し、この先端に設けた塗布具が前記容器本体内に挿入されるようにしたことを特徴とする。
【００１２】
第３の発明は、第１の発明において、前記容器本体は異なった液状や粉状化粧料が充填される複数の容器本体からなり、これら容器本体が選択的に前記中継具に螺合結合させられることを特徴とする。
【００１６】
第４の発明は、第１から第３の発明において、前記容器本体内に充填される揮発性の高い化粧料は、前記容器本体の口元に設けたパッキンまたは絞りゴムと、前記下部腔部の天面の仕切部による螺合接触圧で封止されることを特徴とする。
【００１７】
第５の発明は、第４の発明において、前記容器本体の口元に螺合可能な仮キャップを備えることを特徴とする。
【００１８】
【発明の作用及び効果】
本発明は、棒状化粧材を内蔵する先筒と相対回動する中継具をキャップのように液状化粧料または粉状化粧料の充填された容器本体口元に螺合させ、密封することによって、一本の化粧料容器で内容物の異なる両者の使用を可能にするものである。これにより、黒のマスカラに黒のアイライナーやアイブロウ、または赤いリップグロスと同色のリップライナーなどの同系色、さらには流行性やファッション性を追求した様々な色彩の組み合わせの棒状化粧材と液状化粧料、または粉状化粧料とを同時に装着させ、なおかつ部品数を最小とすることができる。つまり、先筒内に棒状化粧材を繰り出し可能に収容する一方で、この棒状化粧材と関連性を持つ液状または紛状化粧料を容器本体内に収容することにより、１本の化粧料容器で、性質は異なるが互いに関連性を持つ２種類の化粧料が使用可能となる。したがって、携帯性に優れ、使い勝手のよい化粧料容器を、部品数削減により低コストで提供できる。
【００１９】
第１の発明では、先筒と中継具を回動可能に連結し、中継具下部腔部の口元に、内部に液状または粉状の化粧料を充填した容器本体を開閉自在に螺合させ、中継具を基点とした一つの化粧料容器として構成としている。このような構成により、先筒の内部には棒状化粧材、及び棒状化粧材の尾部を保持する保持部が摺動自在に内挿されているが、先筒と中継部を相互に回動させることにより、棒状化粧材を保持した保持部が先筒内を摺動して、先筒先端の開口孔より棒状化粧材が繰上下し、使用可能となるものである。
【００２０】
また、持ち手を前述とは逆にすれば、中継具は密閉度の高いキャップとして使用されるため、先筒と反対方向にある容器本体内に収容されている液状または粉状の化粧料も使用できる。
【００２１】
第２の発明では、中継部の後部より棒状中軸を延設し、その先端に容器本体内の液状もしくは粉状化粧料に適した塗布具を設けている。塗布具は常時容器本体内の化粧料に浸された状態であり、使用の際には容器本体の口元ねじと中継部との螺合を解き、容器本体の口元に設けた絞り具で塗布具に付着した化粧料を調節した後化粧を施せばよい。また、棒状中軸と中継具が一体に形成されているため、部品点数が少なくなるので、手間が省け、コストが安く製作可能となる。
【００２２】
第３の発明では、複数の容器本体には異なった化粧料が充填されているので、これらを選択的に中継具に螺合結合することにより、一つの化粧料容器であるにもかかわらず、幾種類かの化粧料を使用することができる。
【００２５】
第４の発明では、容器本体内にはアイライナーやマニキュアなどの揮発性の高い化粧料が充填されており、口元には化粧料の種類に応じてパッキン、又は絞りゴム等が設けられている。
【００２６】
このパッキン、または絞りゴムは、容器本体が中継具によりキャップされた際、中継具の後部天面の仕切り部に当接するが、この当接によって生じる螺合圧により、容器本体は密閉されることになる。そのため、揮発性の高い化粧料を容器本体に充填しても、化粧料の揮発が防止されるものである。
【００２７】
つまり、容器本体内に充填されるマスカラやマニキュア等は、強い揮発性を有するため、容器本体口元にＮＢＲ等で製作されたパッキンや絞り具を設け、中継具後部はこれらを密閉するためのキャップとしての役割を持つものである。
【００２８】
また、第５の発明では、容器本体に仮キャップを備えているので、化粧料を充填した容器本体の保管が容易に行える。
【００２９】
【発明の実施の形態】
以下、添付図面に基づいて、本発明の化粧料容器を詳細に説明する。
【００３０】
図１は、本発明の第１実施形態の化粧料容器１の縦断面図である。また、図２は、図１で使用されている中継具を示す縦一部断面図である。
【００３１】
化粧料容器１は、先筒１０と中継具２０とを回動可能に連結し、棒状化粧材Ａを保持する化粧材保持部５１を先端に形成した押棒５０を内挿して、先筒１０と中継具２０の回動によって棒状化粧材Ａを先筒１０の先端側の開口孔１１より進退させる棒状化粧材繰出容器２に、中継具２０の後部腔部２６に雌ねじ２１を設け、これに容器本体３０を連結することで化粧料容器１を構成するものである。
【００３２】
第１実施形態の棒状化粧材繰出容器２を以下に詳細に説明する。
【００３３】
先筒１０は先端に開口孔１１を備え、内周の軸方向に複数の摺動溝１２が設けられている。また、先筒１０は中継具２０と、互いの内外周に環状に形成した嵌合凹部１３と凸部２４によって回動可能に連結される。
【００３４】
先筒１０の下部はオーバラップ部１５として、中継具２０の先端小径部２８に外側から嵌合し、かつ、オーバラップ部１５の外径は中継具２０の中間段部２９の外径と同一に形成され、先筒１０から中間段部２９にかけて同一外径で連続する輪郭線を形成している。
【００３５】
中継具２０は図２に示されている如く、全体に円筒形状をしており、内部に設けた仕切り部２２によって、互いに同軸的に形成された前部腔部２５と後部腔部２６とに分かれ、後部腔部２６には前記容器本体３０との螺合に用いられる雌ねじ２１が設けられ、前部腔部２５には、押棒５０の基端が内挿されている。
【００３６】
前記先筒１０の開口孔１１に挿入される押棒５０の前端には爪片５２よりなる化粧材保持部５１を形成し、棒状化粧材Ａはこの爪片５２間に挿入され、保持されるものである。
【００３７】
各爪片５２は前記先筒１０の摺動溝１２に位置し、爪片５２下部の係合部５３は先筒１０の摺動溝１２に係合して押棒５０の回転止め機構を構成する。
【００３８】
また、爪片５２の係合部５３より延設されて、押棒５０の棒軸５５上には雄ねじ５４が押棒５０の移動距離となるストローク長だけ形成され、後部にストッパー部材７０が連結される。
【００３９】
なお、ストッパー部材７０は前部腔部２５の内周に摺接し、これにより押棒５０の移動を案内し、円滑なストローク動作を可能としている。
【００４０】
この押棒５０の棒軸５５上の雄ねじ５４は、前記中継具２０の先端小径部２８の内部の段部２７に挿入載置された螺旋体６０の螺旋溝６１に螺合し、これにより押棒５０を繰り出すための螺合機構を構成している。
【００４１】
この場合、螺旋体６０はその外周に形成した縦リブ６２と、中継具２０の先端小径部２８の内周に形成したローレット部２３とのスプライン係合によって、中継具２０に回動不能に固定され、かつ段部２７と先筒１０の開口孔１１の基端段部との間で軸方向にも固定されているため、前記押棒５０は、雄ねじ５４と螺旋体６０との螺合機構、並びに爪片５２の下部係合部５３と先筒１０の摺動溝１２との回転止め機構によって、前記先筒１０と前記中継具２０との相対的な回動に伴い、雄ねじ５４のピッチに応じて軸方向に移動する。
【００４２】
これにより、化粧材保持部５１に保持された棒状化粧材Ａは、先筒１０の開口孔１１より進出する。
【００４３】
また、化粧を施した後は先筒１０と中継具２０とを前述とは逆に回動させれば、前記のメカニズムによって棒状化粧材Ａは先筒１０内に後退する。
【００４４】
そして本発明においては、このように中継具２０に回動可能に先筒１０を連結して、棒状化粧材繰出容器２を構成する一方で、中継具２０の反対側には雌ねじ２１を設けて、ここに化粧料の充填された容器本体３０の口元雄ねじ３１と脱着可能に螺合させることで、キャップ機能を持たせている。この場合、容器本体３０は、口元に雄ねじ３１が形成されたブロー成型またはガラスにより製作されるものが望ましい。なお、容器本体３０の外径は中継具２０の最大外径と同一に形成され、容器本体３０を螺合装着したときに連続的な輪郭線が形成される。
【００４５】
また、容器本体３０内の化粧料が揮発性の高い場合に対処すべく、容器本体３０の口元内周にはＮＢＲ等の筒状のパッキン４が設けられ、パッキン上端面を中継具２０の仕切り部２２が押すことによって容器本体３０内の化粧料の揮発を防止するようになっている。
【００４６】
このようにして本発明は、棒状化粧材Ａを内蔵する先筒１０と中継具２０との相対回動により、棒状化粧材Ａを上下繰り出しさせられるようにすると共に、中継具２０の後部腔部２６に雌ねじ２１を形成して、ブロー成型やガラスによって製作された容器本体３０を着脱自在とし、中継具２０をキャップのように液状化粧料または粉状化粧料の充填された容器本体３０に螺合させ、密封することによって、一本の化粧料容器で内容物の異なる両者の使用を可能にするものである。
【００４７】
これにより、黒のマスカラに黒のアイライナーやアイブロウ、または赤いリップグロスと同色のリップライナーなどの同系色、さらには流行性やファッション性を追求した様々な色彩の組み合わせの棒状化粧材と液状化粧料、または粉状化粧料とを同時に装着させられる、したがって携帯性にすぐれ、使い勝手がよい、化粧料容器を提供でき、なおかつその構成部品数を最小とすることができる。
【００４８】
なお、上記第１実施形態においては、棒状化粧材Ａはアイカラー、容器本体３０内の化粧料はラメを想定している。
【００４９】
また、本発明は、第１実施形態における棒状化粧材繰出容器２の繰り出し機構に限るものではなく、中継具２０と先筒１０の回動をもって先筒１０の開口孔１１より棒状化粧材Ａの進退が可能であり、かつ中継具２０の後部に腔部２６を設け、これにねじを形成して容器本体３０に連結するものであれば、本発明の化粧料容器の範疇に入るものである。
【００５０】
次に図３によって本発明の第２実施形態の化粧料容器を説明する。
【００５１】
化粧料容器１０１の、棒状化粧材繰出容器１０２部分は、第１実施形態と全く同一の構成をとっている。図１の棒状化粧材繰出容器２部分が棒状化粧材Ａの下降限に位置することを示すものであるのに対して、図３の棒状化粧材繰出容器１０２は、上昇限位置を示すものであり、押棒１５０は先筒１１０内で最大限に繰り上げられ、ストッパー部材１７０の上端面１７１は螺旋体１６０の下端面１６３に当接した形を示している。
【００５２】
図３の第２実施形態の特徴は中継具１２０と容器本体１３０にあり、中継具１２０に同軸的に設けた棒状中軸１３２が容器本体１３０内の化粧溶液内に延び、その先端に塗布具５を備えている。
【００５３】
第２実施形態では、棒状化粧材Ａと容器本体３０内の化粧料の組み合わせとして、アイブローとマスカラの組み合わせを想定しており、容器本体１３０の口元にはＮＢＲ等で製作された先細筒状の絞りゴム６が装着され、塗布具５に付着した溶液の付着量を適量に調整しているとともに、変形仕切り部１２２ａと絞りゴム６の上端面との螺合による封止圧で中の溶液の揮発を防止している。
【００５４】
当然ながらこの絞りゴム６は第１実施形態と同様なパッキン効果を持つものである。
【００５５】
更なる特徴としては、この棒状中軸１３２は、変形仕切り部１２２ａによって中継具１２０と一体に形成されていることがあげられる。
【００５６】
もちろん棒状中軸１３２を別に製作し、前記中継具１２０に固着してもよいものであるが、第２実施形態においては、中継具１２０の後部腔部１２６に雌ねじ１２１を形成しながら同時に棒状中軸１３２を一体的に設けたものである。
【００５７】
なお、棒状化粧材はアイブロウ、ファウンデーション等、顔の皮膚に直接塗布して使用する場合と、目元、唇などに代表されるように顔面のパーツの粘膜に塗布する場合があり、一般に皮膚上に施される棒状化粧材は内容上キャップを必要としない場合が多いが、唇等粘膜に使用される棒状化粧材はキャップを必要とすることがほとんどである。
【００５８】
図４は、本発明の第３実施形態を示すものである。
【００５９】
この実施形態は、上記第２実施形態の構成を基本としつつ、棒状化粧材Ａと容器本体２３０内の化粧料として、リップライナーとリップグロスを想定した化粧料容器であって、中継具２２０の中間段部２９の外周面に環状の凸部２２９を設けるとともに、キャップ７によって先筒２１０の先端開口孔２１１を被っているものである。
【００６０】
そして、前記凸部２２９はキャップ７の内周面の環状の凹部７ａと着脱自在に嵌合する。
【００６１】
図４の化粧料容器のその他の作用は、第２実施形態における図３に示されている化粧料容器に準ずるものである。
【００６２】
液状化粧料または粉状化粧料と棒状化粧材の組み合わせは、例えば第２実施形態のマスカラとアイブロウペンシル、粉状ではチークパウダーやアイシャドウとアイライナーペンシル、リップライナーとリップグロス、マニキュアと口紅等、様々あるが、通常このような色物はほぼ同系色を使用する。このため、別々にこれらを持つより、これらが一体とされた本発明の化粧料容器を使用した方が、携帯性にも便宜性にも優れている。つまり、本発明の化粧料容器は、複数本使用しなければならない従来タイプの化粧材容器を利用するよりはるかに使い勝手がよいものである。
【００６３】
また、図５に示されているように、容器本体３３０に入っている化粧料は仮キャップ８を被せられた状態で別売りされるものであるため、同系色に限らず流行に合わせて様々な色彩を利用したり、アイライナーとリップグロスなど、使用者の利用に合わせた組み合わせも可能となる。
【００６４】
同様に棒状化粧材繰出容器２も別売りの形態をとれば、前記の如くバリエーション豊かな組み合わせのみならず、使用頻度の高い方を購入して付け替えることが可能となるため、より一層経済的且つ便利なものとなる。
【００６５】
更に先筒と容器本体とを中の化粧材の色の確認ができるような透明または半透明の素材で作成すると、異なる化粧材の色の組合せが確認できて便利である。また、図４のキャップ７も同じように中の化粧材の色の確認ができるような素材とすると一層便利である。
【図面の簡単な説明】
【図１】本発明の第１実施形態の化粧料容器を示す縦一部断面図である。
【図２】図１で使用されている中継具を示す縦一部断面図である。
【図３】本発明の第２実施形態である化粧料容器を示す縦一部断面図である。
【図４】本発明の第３実施形態である化粧料容器を示す縦一部断面図である。
【図５】第３実施形態で用いられている容器本体に仮キャップをつけた状態を示す縦一部断面図である。
【符号の説明】
１・・・    化粧料容器
２・・・    棒状化粧材繰出容器
３・・・    容器本体
４・・・    パッキン
５・・・    塗布具
６・・・    絞りゴム
７・・・    キャップ
７ａ・・    凹部
１０・・    先筒
１１・・    先端開口孔
１２・・    摺動溝
１３・・    嵌合凹部
２０・・    中継部
２１・・    雌ねじ
２３・・    ローレット部
２４・・    凸部
２５・・    前部腔部
２６・・    後部腔部
２７・・    前部段部
２８・・    先端小径部
２９・・    中間段部
３０・・    容器本体
３１・・    口元雄ねじ
５０・・    押棒
５１・・    化粧材保持部
５２・・    爪片
５３・・    係合部
５４・・    雄ねじ
５５・・    棒軸
６０・・    螺旋体
６１・・    螺旋溝
６２・・    縦リブ
７０・・    ストッパー部材
１０１・    化粧料容器
１０２・    棒状化粧材繰出容器
１２０・    中継具
１２１・    雌ねじ
１２２ａ    変形仕切り部
１２６・    後部腔部
１３２・    棒状中軸
１３０・    容器本体
１５０・    押棒
１６０・    螺旋体
１６３・    下端面
１７０・    ストッパー部材
１７１・    上端面
２１０・    先筒
２１１・    開口孔
２２０      中継具
２２９      凸部
３３０・    容器本体
【図１】
0003683174.tif 000002
【図２】
0003683174.tif 000003
【図３】
0003683174.tif 000004
【図４】
0003683174.tif 000005
【図５】
0003683174.tif 000006